(57)【特許請求の範囲】
【請求項１】
１つ又は複数のコンピュータシステムの１つ又は複数のハードディスクドライブを冷却するためのシステムであって、１つ又は複数の該ハードディスクドライブは発熱する電気的及び機械的構成部品を有し、該システムは、
誘電性冷却液と、
該誘電性冷却液を保持するための内部容積を規定する少なくとも１つのタンクと、
該内部容積内に位置し、１つ又は複数の該コンピュータシステムを搭載するための１つ又は複数の第一搭載部材であって、１つ又は複数の該第一搭載部材は、１つ又は複数の該コンピュータシステムを十分に冷却するために該誘電性冷却液が該内部容積内にあるとき、１つ又は複数の該コンピュータシステムが、該誘電性冷却液の中に少なくとも部分的に浸されることを可能にするよう構成されている、第一搭載部材と、
該内部容積内に位置し、１つ又は複数の該ハードディスクドライブを搭載するための１つ又は複数の第二搭載部材であって、１つ又は複数の該第二搭載部材は、該誘電性冷却液が該内部容積内にあるとき、第二搭載部材に搭載された１つ又は複数の該ハードディスクドライブを該誘電性冷却液よりも上に維持するよう構成され、１つ又は複数の該第二搭載部材は、一端は１つ又は複数の該ハードディスクドライブに熱的に接続され、他端は該誘電性冷却液に浸されている、少なくとも一つの熱伝導拡張部であって、該熱伝導拡張部は、１つ又は複数の該ハードディスクドライブを十分に冷却するために、１つ又は複数の該ハードディスクドライブの発熱する電気的及び機械的構成部品によって生じた少なくとも一部の熱を、吸収用の該誘電性冷却液に伝えるものである、第二搭載部材と、
該タンク内の該誘電性冷却液を冷やすために、該誘電性冷却液と熱的に結合された熱交換器とを備えるシステム。
【請求項２】
前記タンク内を循環する前記誘電性冷却液から飛沫する前記誘電性冷却液に対して１つ又は複数の前記ハードディスクドライブを保護するために、１つ又は複数の前記ハードディスクドライブに接続された、飛沫ガードをさらに備えることを特徴とする請求項１に記載のシステム。
【請求項３】
少なくとも一つの前記熱伝導拡張部に熱的に接続された、少なくとも一つの放熱板であって、該少なくとも一つの放熱板は、前記ハードディスクドライブからの熱を前記誘電性冷却液に伝えるために、その一端が誘電性冷却液に浸され、これによりハードディスクドライブがさらに冷却されることになる、該少なくとも一つの放熱板をさらに備えることを特徴とする請求項１に記載のシステム。
【請求項４】
少なくとも１つの前記熱伝導拡張部が、前記誘電性冷却液に浸された端部において、電気的コネクタを含み、１つ又は複数の前記コンピュータシステムが、嵌め合せ電気的コネクタを内部に有する少なくとも一つのハードディスクドライブスロットを有し、該電気的コネクタは、一端において１つ又は複数の前記ハードディスクドライブに接続され、他端において嵌め合せコネクタに接続され、これにより、１つ又は複数の前記ハードディスクドライブを１つ又は複数の前記コンピュータシステムに電気的に接続することができることを特徴とする請求項１に記載のシステム。
【請求項５】
前記誘電性冷却液を実質的に特定の温度に維持するためのコントローラをさらに備えることを特徴とする請求項１に記載のシステム。
【請求項６】
誘電性冷却液を所定の高められた温度に維持するためのコントローラをさらに備え、該所定の高められた温度は、エネルギー消費を減少させると同時に、１つ又は複数の前記コンピュータシステムと、１つ又は複数の前記ハードディスクドライブとを十分に冷却する温度であることを特徴とする請求項１に記載のシステム。
【請求項７】
前記タンクの前記内部容積からの比較的高温の誘電性冷却液を送り出し、比較的低温の誘電性冷却液を前記タンクの前記内部容積に送り込むためのポンプをさらに備えることを特徴とする請求項６に記載のシステム。
【請求項８】
少なくとも一つの前記タンクが、冷却液流入口と冷却液流出口を含み、一側面に加圧連結管を、他側面に吸引連結管を含み、該加圧連結管は、比較的低温の前記誘電性冷却液の前記内部容積内への流れを促進するために、該冷却液流入口へ流体接続され、また、該吸引連結管は、比較的高温の前記誘電性冷却液の前記内部容積から外部への流れを促進するために、該冷却液流出口へ流体接続されることを特徴とする請求項７に記載のシステム。
【請求項９】
前記加圧連結管と前記吸引連結管が、前記内部容積内の前記誘電性冷却液の流れを強め、及び方向付けるための複数の流動増強装置を備えることを特徴とする請求項８に記載のシステム。
【請求項１０】
１つ又は複数のコンピュータシステムの１つ又は複数のハードディスクドライブを冷却するための装置であって、１つ又は複数の該ハードディスクドライブは発熱する電気的及び機械的構成部品を有し、該装置は、
誘電性冷却液を保持するための内部容積を規定する少なくとも１つのタンクと、
該内部容積内に位置し、１つ又は複数の該コンピュータシステムを搭載するための１つ又は複数の第一搭載部材であって、１つ又は複数の該第一搭載部材は、１つ又は複数の該コンピュータシステムを十分に冷却するために該誘電性冷却液が該内部容積内にあるとき、１つ又は複数の該コンピュータシステムが、該誘電性冷却液の中に少なくとも部分的に浸されることを可能にするよう構成されている、第一搭載部材と、
該内部容積内に位置し、１つ又は複数の該ハードディスクドライブを搭載するための１つ又は複数の第二搭載部材であって、１つ又は複数の該第二搭載部材は、該誘電性冷却液が該内部容積内にあるとき、該第二搭載部材に搭載された１つ又は複数の該ハードディスクドライブを該誘電性冷却液よりも上に維持するよう構成され、１つ又は複数の該第二搭載部材は、一端は１つ又は複数のハードディスクドライブに熱的に接続され、他端は該誘電性冷却液に浸されている、少なくとも一つの熱伝導拡張部であって、該熱伝導拡張部は、１つ又は複数の該第二搭載部材は、１つ又は複数の該ハードディスクドライブを十分に冷却するために、１つ又は複数の該ハードディスクドライブの発熱する電気的及び機械的構成部品によって生じた少なくとも一部の熱を、吸収用の該誘電性冷却液に伝えるものである、第二搭載部材と、
該タンク内の該誘電性冷却液を冷やすために、該誘電性冷却液と熱的に結合された熱交換器とを備える装置。
【請求項１１】
前記タンク内を循環する前記誘電性冷却液から飛沫する前記誘電性冷却液に対して１つ又は複数の前記ハードディスクドライブを保護するために、１つ又は複数の前記ハードディスクドライブに接続された、飛沫ガードをさらに備えることを特徴とする請求項１０に記載の装置。
【請求項１２】
少なくとも一つの前記熱伝導拡張部に熱的に接続された、少なくとも一つの放熱板であって、該少なくとも一つの放熱板は、前記ハードディスクドライブからの熱を前記誘電性冷却液に伝えるために、その一端が誘電性冷却液に浸され、これによりハードディスクドライブがさらに冷却されることになる、該少なくとも一つの放熱板をさらに備えることを特徴とする請求項１０に記載の装置。
【請求項１３】
少なくとも１つの前記熱伝導拡張部が、前記誘電性冷却液に浸された端部において、電気的コネクタを含み、１つ又は複数の前記コンピュータシステムが、嵌め合せ電気的コネクタを内部に有する少なくとも一つのハードディスクドライブスロットを有し、該電気的コネクタは、一端において１つ又は複数の前記ハードディスクドライブに接続され、他端において嵌め合せコネクタに接続され、これにより、１つ又は複数の前記ハードディスクドライブを１つ又は複数の前記コンピュータシステムに電気的に接続することができることを特徴とする請求項１０に記載の装置。
【請求項１４】
前記誘電性冷却液を実質的に特定の温度に維持するためのコントローラをさらに備えることを特徴とする請求項１０に記載の装置。
【請求項１５】
前記誘電性冷却液を所定の高められた温度に維持するためのコントローラをさらに備え、該所定の高められた温度は、エネルギー消費を減少させると同時に、１つ又は複数の前記コンピュータシステムと、１つ又は複数の前記ハードディスクドライブとを十分に冷却する温度であることを特徴とする請求項１０に記載の装置。
【請求項１６】
前記内部容積からの比較的高温の誘電性冷却液を送り出し、比較的低温の誘電性冷却液を前記内部容積に送り込むためのポンプをさらに備えることを特徴とする請求項１５に記載の装置。
【請求項１７】
少なくとも一つの前記タンクが、冷却液流入口と冷却液流出口を含み、一側面に加圧連結管を、他側面に吸引連結管を含み、該加圧連結管は、比較的低温の前記誘電性冷却液の前記内部容積内への流れを促進するために、該冷却液流入口へ流体接続され、また、該吸引連結管は、比較的高温の前記誘電性冷却液の前記内部容積から外部への流れを促進するために、該冷却液流出口へ流体接続されることを特徴とする請求項１６に記載の装置。
【請求項１８】
前記加圧連結管と前記吸引連結管が、前記内部容積内の前記誘電性冷却液の流れを強め、及び方向付けるための複数の流動増強装置を備えることを特徴とする請求項１７に記載の装置。
【請求項１９】
１つ又は複数のコンピュータシステムの１つ又は複数のハードディスクドライブを冷却するための方法であって、１つ又は複数の該ハードディスクドライブは発熱する電気的及び機械的構成部品を有し、該方法は、
内部容積を規定する少なくとも１つのタンク内に誘電性冷却液を保持するステップと、
１つ又は複数の該コンピュータシステムを十分に冷却するために該誘電性冷却液が該内部容積内にあるとき、１つ又は複数の該コンピュータシステムが該誘電性冷却液の中に少なくとも部分的に浸されることを可能にするよう構成されており、該内部容積内に位置する１つ又は複数の第一搭載部材に、１つ又は複数の該コンピュータシステムを搭載するステップと、
該誘電性冷却液が該内部容積内にあるとき、第二搭載部材に搭載された１つ又は複数の該ハードディスクドライブを該誘電性冷却液よりも上に維持するよう構成され、１つ又は複数の該ハードディスクドライブを十分に冷却するために、１つ又は複数の該ハードディスクドライブの発熱する電気的及び機械的構成部品によって生じた少なくとも一部の熱を、吸収用の該誘電性冷却液に伝えるよう、一端は１つ又は複数の該ハードディスクドライブに熱的に接続され、他端は該誘電性冷却液に浸されている、少なくとも一つの熱伝導拡張部を有しており、該内部容積内に位置する１つ又は複数の該第二搭載部材に、１つ又は複数の該ハードディスクドライブを搭載するステップと、
該タンク内の該誘電性冷却液を熱交換器で冷却するステップとを備える方法。
【請求項２０】
前記タンク内を循環する前記誘電性冷却液から飛沫する前記誘電性冷却液に対して１つ又は複数の前記ハードディスクドライブを、１つ又は複数の前記ハードディスクドライブに接続された飛沫ガードで保護するステップをさらに備えることを特徴とする請求項１９に記載の方法。
【請求項２１】
前記ハードディスクドライブからの熱を前記誘電性冷却液に伝えるために、その一端が誘電性冷却液に浸され、これにより該ハードディスクドライブをより冷却することができる、少なくとも一つの放熱板を、少なくとも一つの前記熱伝導拡張部に熱的に接続するステップをさらに備えることを特徴とする請求項１９に記載の方法。
【請求項２２】
少なくとも１つの前記熱伝導拡張部が、前記誘電性冷却液に浸された端部において、電気的コネクタを含み、１つ又は複数の前記コンピュータシステムが、嵌め合せ電気的コネクタを内部に有する少なくとも一つのハードディスクドライブスロットを有し、該電気的コネクタは、一端において１つ又は複数の前記ハードディスクドライブに接続され、他端において嵌め合せコネクタに接続され、これにより、１つ又は複数の前記ハードディスクドライブを１つ又は複数の前記コンピュータシステムに電気的に接続することができることを特徴とする請求項１９に記載の方法。
【請求項２３】
前記誘電性冷却液を実質的に特定の温度に維持するためのコントローラを使用するステップをさらに備えることを特徴とする請求項１９に記載の方法。
【請求項２４】
誘電性冷却液を、エネルギー消費を減少させると同時に、１つ又は複数の前記コンピュータシステムと１つ又は複数の前記ハードディスクドライブとを十分に冷却する温度である所定の高められた温度に、維持するためのコントローラを使用するステップをさらに備えることを特徴とする請求項１９に記載の方法。
【請求項２５】
ポンプを使用して、前記内部容積からの比較的高温の誘電性冷却液を送り出し、比較的低温の誘電性冷却液を前記内部容積に送り込むステップをさらに備えることを特徴とする請求項２４に記載の方法。
【請求項２６】
少なくとも一つの前記タンクが、冷却液流入口と冷却液流出口を含み、一側面に加圧連結管を、他側面に吸引連結管を含み、該加圧連結管は、比較的低温の前記誘電性冷却液の前記内部容積内への流れを促進するために、該冷却液流入口へ流体接続され、また、該吸引連結管は、比較的高温の前記誘電性冷却液の前記内部容積から外部への流れを促進するために、該冷却液流出口へ流体接続され、該加圧連結管と該吸引連結管が、前記内部容積内の該誘電性冷却液の流れを強め、及び方向付けるための複数の流動増強装置を備えることを特徴とする請求項２５に記載の方法。
【発明の詳細な説明】
【技術分野】
【０００１】
関連出願の相互参照
本出願は、米国特許法第１１９条のもと、２０１１年８月５日に出願された“HARD DRIVE ENCASEMENT AND HEAT TRANSFER FOR FLUID SUBMERSION SYSTEMS”と題する米国仮特許出願第６１／５７４，６０１号の優先権を主張する。
【０００２】
本発明は、概してコンピュータシステムのハードディスクドライブを目的としている。より具体的には、本発明は、コンピュータシステムのハードディスクドライブを冷却するための装置、システム、及び方法を目的としている。
【背景技術】
【０００３】
現在使用されているほぼ全てのコンピュータシステムは、１つ又は複数のハードディスクドライブ（ＨＤＤ）を使用している。コンピュータシステムとは、データを処理するために処理装置を利用している機器のことである。ハードディスクドライブはデータ等のデジタル情報を保存し読み出すために使用される機器である。ハードディスクドライブは、１つ又は複数の硬質のディスク又はプラッタで構成され、これらのディスク又はプラッタは高速で回転し、磁性材料で覆われている。ハードディスクドライブはまた、磁化プラッタにデータを書き込み、またそこからデータを読み出すために構成された磁気ヘッドを備えている。
【０００４】
部品等を示すために参照番号等を使用している図面を参照すると、図１Ａには、例示的なハードディスクドライブ１００が示されている。ハードディスクドライブ１００は、上蓋を備えるが、これは内部の構成部品のいくつかを露出させるために取り除かれている。露出した内部の構成部品には、複数のプラッタ１１０と、複数の読み書きヘッド１３０とが含まれ、各読み書きヘッド１３０は、対応するプラッタに付随しており、また、ハードディスクドライブ１００からデータを読み出し、これにデータを書き込むためのヘッドアーム１２０に接続されている。この例示的なハードディスクドライブ１００はまた、プラッタ１００を回転させるための電気モータ（図示せず）と、ヘッドアーム１２０を動かすための別の電気モータ（図示せず）とを含む。
【０００５】
図１Ｂは、例示的なハードディスクドライブ１００の断面図である。この図では、複数のプラッタが明確に視認できる。また、この図では、ディスクコントローラ（図示せず）から指示されて、ヘッドアーム１２０と、プラッタ１１０の回転とを制御し、ハードディスクドライブ１００上のデータの読み書きを行うための、関連する電子機器用のプリント基板（ＰＣＢ）１４０が図示されている。ハードディスクドライブ１００は、データへのアクセス時間を最小限にするファームウェアをさらに含んでもよく、これによりドライブの性能を最大限にする。
【０００６】
図１Ｂに示されるように、プラッタ１１０は筐体１５０の中に配置されている。筐体１５０内部の周囲空気は、空気フィルタ１４０（図１Ａ参照）の下の小さな通気孔を通して外部の周囲空気と流体接続されている。空気フィルタ１４０は、製造時に残された汚染物質と、何らかの理由で筐体に侵入する可能性のある粒子や化学物質と、通常の運転中に内部で生成される粒子やガスとを取り除くために使用される。
【０００７】
空気フィルタ１４０の下の小さな孔は、囲われた周囲空気を外部の周囲空気に接続させることに加えて、筐体１５０内の特有の圧力を維持するためにも使用される。例えば運転時には、プラッタ１１０は、中心軸又はスピンドル１６０の周りを一定の速度で回転する。ヘッドアーム１２０は、読み書きヘッド１３０をプラッタ１１０の回転に対して半径方向に移動させることによって、読み書きヘッド１３０がプラッタの表面全体にアクセスすることを可能にする。読み書きヘッド１３０は、ディスク（又はプラッタ）上の、ビットと呼ばれる、微小磁化領域にデータを保存する。ディスク１１０上の一方向の帯磁方向は、「１」を表してもよく、その反対方向は「０」を表してもよい。
【０００８】
プラッタ１１０にデータを書き込み及びそこからデータを読み出す際、読み書きヘッド１３０はプラッタ１１０の表面には接触しない。プラッタ１１０に密接して、プラッタの速度又は近い速度で移動する読み書きヘッド１３０は、空気を介してプラッタの表面との接触を避けている。ハードディスクドライブ１００は、プラッタ１１０が回転している間に読み書きヘッド１３０が適切な高さにあることを確実にするために筐体内に維持されている空気圧に依存している。もしこの空気圧が低すぎると、読み書きヘッド１３０は十分に高くは持ち上げられない可能性がある。そのような場合、ヘッド１３０は、プラッタ１１０の表面に接触して、プラッタ上の磁気コーティングを部分的に削り取る可能性がある。最悪な場合、ハードディスクドライブが破壊される可能性があり、その場合は全てのデータが失われてしまう。また、良い場合でも、データが部分的に失われる結果となる可能性がある。
【０００９】
いかなる場合においても、ハードディスクドライブ１００は熱を発生させる。例えば、二つの電気モータの機械部品間の摩擦によって熱が生じる。熱はまた、プリント基板（ＰＣＢ）１４０上の電気的構成部品を流れる電流によっても生じる。現在のハードディスクドライブは２乃至１０ワットの範囲の電力を使用するものと推定される。それゆえ、ハードディスクドライブを最適な状態で作動させるためには、ハードディスクドライブを冷却する必要がある。これは、一ヵ所に何百ものハードディスクドライブが存在する可能性のある場所である、何百ものサーバを持つコンピュータデータセンタの場合に、特に当てはまる。
【００１０】
内部に組み込まれた発熱する機械的及び電気的構成部品を持つ、コンピュータシステムや、ハードディスクドライブといったコンピュータ構成部品機器を冷却するために、様々な方法が用いられてきた。例えば、参照することにより本書に組み込まれる開示である、“LIQUID SUBMERGED, HORIZONTAL COMPUTER SEREVER RACK AND METHODS OF COOLING SUCH A SERVER RACK”と題された特許文献１には、浸液冷却システムが開示されている。同文献では、複数のラックマウント型コンピュータシステムが、該コンピュータシステムを冷却するための誘電性冷却液中に浸されている。１つ又は複数のハードディスクドライブがコンピュータシステムに接続されうるので、コンピュータシステムを冷却するために使用される誘電性冷却液を、ハードディスクドライブを冷却するためにも使用することが望ましい。
【００１１】
ここで、誘電性冷却液には、植物油、（別名変圧器油として知られる）鉱物油、又は同様の特徴を備える任意の冷却液（例えば、空気よりも優れる又はほぼ同等の誘電強度を持つ不燃性、非毒性液体）が含まれるが、これに限定されるものではないことに留意するべきである。
【００１２】
いずれの場合においても、ハードディスクドライブを誘電性冷却液中に浸すことで、ハードディスクドライブを損傷する、又はその運転を妨げる可能性がある。上述したように、ハードディスクドライブ筐体内の周囲空気は、ハードディスクドライブ筐体内の圧力を維持するために、外部の周囲空気と流体接続されている。このハードディスクドライブが誘電性冷却液の中に浸されると、ハードディスクドライブ筐体内の空気は、ハードディスクドライブに改造を加えることなくしては、外部の周囲空気にはもはや接続することができない。そのため、ハードディスクドライブ筐体内の圧力が適切に維持されない可能性がある。そして、特許文献２に示されるように、ハードディスクドライブ筐体と外部の周囲空気との間の送気管を使用するなどして、圧力が適切に維持されないと、上述したように、読み書きヘッド１３０はプラッタ１１０から磁気コーティングを削り取る可能性がある。さらに、誘電性冷却液は、空気フィルタ１４０の下の小さな通気孔を通じてハードディスクドライブ筐体に侵入する可能性がある。ハードディスクドライブ筐体内部の誘電性冷却液は、ハードディスクドライブを損傷する、又はその運転を妨げる可能性がある。
【００１３】
従って、１つ又は複数のハードディスクドライブが電気的に接続されたラックマウント型コンピュータシステムを冷却するため、またハードディスクドライブを損傷することなく冷却するために、誘電性冷却液を使用する冷却システムが必要とされている。
【先行技術文献】
【特許文献】
【００１４】
【特許文献１】米国特許出願公開第２０１１／０１３２５７９号明細書
【特許文献２】米国特許出願公開第２００８／００１７３５５号明細書
【発明の概要】
【発明が解決しようとする課題】
【００１５】
本発明は、１つ又は複数のコンピュータシステムの１つ又は複数のハードディスクドライブを冷却する装置、システム、及び方法を提供するものである。１つ又は複数のハードディスクドライブは、運転中高熱になる可能性があり、１つ又は複数のディスクドライブが誤動作する可能性のある、発熱する電気的及び機械的構成部品を含む。
【課題を解決するための手段】
【００１６】
上記装置、システム、及び方法は、内部容積を持つタンク内の誘電性冷却液を使用する。さらに、上記装置、システム、及び方法は、内部容積内に位置する１つ又は複数の第一搭載部材を使用し、この上に１つ又は複数のコンピュータシステムを搭載するものである。この１つ又は複数の第一搭載部材は、１つ又は複数のコンピュータシステムを十分に冷却するために誘電性冷却液が内部容積内にあるとき、１つ又は複数のコンピュータシステムが、誘電性冷却液の中に少なくとも部分的に浸されることを可能にするよう構成されてもよい。
【００１７】
上記装置、システム、及び方法はさらに、内部容積内に位置する１つ又は複数の第二搭載部材を使用してもよく、この上に１つ又は複数のハードディスクドライブを搭載するものである。この１つ又は複数の第二搭載部材は、誘電性冷却液が内部容積内にあるとき、１つ又は複数のハードディスクドライブを誘電性冷却液よりも上に維持するよう構成されてもよい。１つ又は複数の第二搭載部材は、少なくとも一つの熱伝導拡張部を有してもよく、この熱伝導拡張部は、１つ又は複数のハードディスクドライブを十分に冷却するために、１つ又は複数のハードディスクドライブの発熱する電気的及び機械的構成部品によって生じた少なくとも一部の熱を、吸収用の誘電性冷却液に伝えるよう、熱伝導拡張部の一端は１つ又は複数のハードディスクドライブに熱的に接続され、他端は誘電性冷却液に浸されている。
【００１８】
上記装置、システム、及び方法はさらに、タンク内の誘電性冷却液を冷却するために熱交換器を使用してもよい。
【００１９】
一つの実施例において、上記装置、システム、及び方法は、タンク内を循環する誘電性冷却液から飛沫する誘電性冷却液に対して、１つ又は複数のハードディスクドライブを保護するために、１つ又は複数のハードディスクドライブに接続された飛沫ガードを使用してもよい。さらに、少なくとも一つの放熱板が、少なくとも一つの熱伝導拡張部に熱的に接続されてもよい。この場合、ハードディスクドライブからの熱を誘電性冷却液に伝えるために、少なくとも一つの放熱板は、その一端を誘電性冷却液に浸してもよく、これにより、ハードディスクドライブはより冷却されることになる。
【００２０】
別の実施例において、熱伝導拡張部は、誘電性冷却液に浸された端部において、電気的コネクタを含んでもよく、１つ又は複数のコンピュータシステムは、嵌め合せ電気的コネクタを内部に有する少なくとも一つのハードディスクドライブスロットを使用してもよい。そのような場合、電気的コネクタを、一端において１つ又は複数のハードディスクドライブに接続することができ、他端において嵌め合せコネクタに接続することができる。これにより、１つ又は複数のハードディスクドライブを１つ又は複数のコンピュータシステムに電気的に接続することができる。
【００２１】
さらに別の実施例において、誘電性冷却液を実質的に所定の高められた温度に維持するために、コントローラを使用してもよい。この所定の高められた温度は、システムのエネルギー消費を減少させると同時に、１つ又は複数のコンピュータシステムと、１つ又は複数のハードディスクドライブとを十分に冷却する温度である。
【００２２】
さらに別の実施例において、内部容積からの比較的高温の誘電性冷却液を送り出し、比較的低温の誘電性冷却液を内部容積に送り込むためにポンプが使用されてもよい。少なくとも一つのタンクは冷却液流入口と冷却液流出口を含んでもよく、一側面に加圧連結管を、他側面に吸引連結管を含んでもよい。加圧連結管は、比較的低温の誘電性冷却液の内部容積内への流れを促進するために、冷却液流入口へ流体接続されてもよく、また、吸引連結管は、比較的高温の誘電性冷却液の内部容積から外部への流れを促進するために、冷却液流出口へ流体接続されてもよい。加圧連結管と吸引連結管は、内部容積内の誘電性冷却液の流れを強め、及び方向付けるための複数の流動増強装置を備えてもよい。
【図面の簡単な説明】
【００２３】
本発明の特徴と考えられる新規な特徴は、添付した特許請求の範囲に示される。しかしながら、本発明そのものは、本発明の使用の好ましい形態、更なる目的及び利点と同様に、以下の添付図面と引き合わせて読まれる、以下に示す例示的実施形態の詳細な説明を参照することによって、最も良く理解されるものでる。
【００２４】
【図１Ａ】例示的ハードディスクドライブの図である。
【図１Ｂ】例示的ハードディスクドライブの断面図である。
【図２Ａ】１つ又は複数のサーバと、１つ又は複数のハードディスクドライブとを同時に冷却するための例示的システムの図である。
【図２Ｂ】図２Ａに示す例示的システムの、代わりとなる例示的システムの図である。
【図３】サーバとハードディスクドライブのそれぞれを冷却タンク内に搭載するための例示的搭載部材又はプレートの図である。
【図４Ａ】ハードディスクドライブが搭載される例示的ドライブスレッドの図である。
【図４Ｂ】拡張ケーブルを有するスレッドの図である。
【図４Ｃ】スロットを上に向けたサーバの図である。
【図４Ｄ】両側に取り付けられた放熱板を有するスレッドの図である。
【図５Ａ】ハードディスクドライブの側面にそれぞれ熱的に連結された二つの放熱板の図である。
【図５Ｂ】ハードディスクドライブの上に配置された放熱板の図である。
【図６】サーバ、ハードディスクドライブ、誘電性冷却液を内部に保持する内部容積を備えた例示的タンクの図である。
【図７Ａ】吸引連結管の図である。
【図７Ｂ】加圧連結管の図である。
【図７Ｃ】例示的タンクの左側面の図である。
【発明を実施するための形態】
【００２５】
以下に示す詳細な説明において、本書の一部を構成し、本発明の特定の実施例を例示する添付図面について述べる。これらの実施例は、通常の当業者がこれらを製造及び使用することが可能であるよう十分に詳細に説明されている。本書に開示された特定の実施例には、本発明の精神又は範囲を逸脱することなく変形がなされ得ることが理解される。
【００２６】
図面を再び参照すると、図２Ａは、１つ又は複数のラックマウント型コンピュータシステムと、１つ又は複数のハードディスクドライブとを同時に冷却するための例示的システム２００を示している。適切なラックマウント型コンピュータシステムは、他の市販の、又は特別注文のラックマウント型コンピュータを使用することも可能であるが、従来型の市販のラックマウント型サーバである。コンピュータシステム及びハードディスクドライブはどちらも、例えばデータセンタ内の１つ又は複数のラック内に配置されてもよい。データセンタは、１つ又は複数のサーバを収める物理的な場所である。ラックとは、ベイと呼ばれる複数の搭載スロットを収容するフレーム又は筐体であり、それぞれが、ねじのような固定器具によって、所定の位置に固定されるハードウェアユニットを保持するよう設計されている。ハードウェアユニットは、どのような装置モジュールであってもよい。例えば、装置モジュールは、コンピュータ、ネットワークルータ、ハードドライブアレイ、データ収集装置、電力供給装置等であってよい。
【００２７】
システム２００は、誘電性冷却液を収容する内部容積を有するタンク２１０を含む。誘導性冷却液は、表面２５０を有する。以下に説明される搭載部材又はレールは、タンク２１０の内部容積内に配置され、タンク２１０内に複数のコンピュータシステム２３０を受け入れ搭載するよう構成されている。タンク２１０が冷却液で十分に満たされているとき、各コンピュータシステム２３０の少なくとも一部は、各コンピュータシステムを十分に冷却するための誘電性冷却液内に浸されている。好ましくは、運転中の各コンピュータシステム２３０は誘電性冷却液の表面２５０の下にある。
【００２８】
上記において示唆したように、現在のハードディスクドライブは密閉された筐体に収容されることはない。その結果、誘電性冷却液の中にハードディスクドライブを浸すことで、ハードディスクドライブを破壊又は損傷する可能性がある。そのため、搭載部材は、ＨＤＤがその上に搭載される際、ハードディスクドライブ２４０がタンク２１０内の誘電性冷却液の表面２５０の上に維持されるよう設計されている。
【００２９】
図３は、図２Ａ中のタンク２１０の中にコンピュータシステム２３０とハードディスクドライブ２４０の両方を搭載するための例示的搭載部材又はプレート３００を示している。搭載プレート３００は、ある部分は誘電性冷却液の中に、別の部分はその外に、搭載部レート３００を維持するための側面搭載耳３１０を含む。マザーボードを含むこともあるコンピュータシステム２３０、電力供給装置、及びその他の構成部品は、任意の様々な方法（例えばネジ、スロット、レイル等）を用いて、誘電性冷却液の中に浸された搭載プレート３００の一部分に固定されてもよい。搭載部材３００は、スチール、アルミニウム、又は真鍮でもよい熱伝導材料で作られてもよい。特定の実施例において、搭載部材３００は、アルミニウムの薄板で作られている。
【００３０】
ＨＤＤ２４０は、電力やデータの送達の目的のため、コンピュータシステムに電気的に直接接続されてもよい。その後、ハードディスクドライブ２４０は、上記した任意の固定方法を用いて、搭載部材又はプレート３００の、誘電性冷却液の上にある部分に固定されてもよい。その場合、放熱板３２０が、ハードディスクドライブ２４０の両側面に熱的に取り付けられてもよい。放熱板３２０は搭載プレート３００に熱的に接続されてもよい。ハードディスクドライブ２４０と放熱板３２０は、どちらもアルミニウムで作られている搭載プレート３００に熱的に取り付けられているため、この搭載プレート３００はさらに大きな放熱板として使用される。放熱板３２０は、冷却を促進するために誘電性冷却液の中に浸された部分を有してもよい。
【００３１】
図５Ａは、ハードディスクドライブ２４０の側面にそれぞれ熱的に連結された２つの放熱板３２０を示している。放熱板３２０は、搭載部材又はプレート３００に熱的に連結されていることもまた示されている。図５Ｂに示される別の実施例において、放熱板５２０は、ハードディスクドライブ２４０の側面に取り付けられる代りに、ハードディスクドライブ２４０の上に配置されている。この場合、放熱板５２０は、タンク２１０の中の誘電性冷却液の飛沫からハードディスクドライブ２４０を保護するための遮蔽板又は飛沫ガードとしてもまた機能させてよい。また、冷却を促進する目的のために、放熱板５２０がハードディスクドライブ２４０の上面にあるとき、ハードディスクドライブ２４０の側面に放熱板３２０が取り付けられるよう、図５Ａ及び図５Ｂは組み合わせられてもよいことに留意すべきである。
【００３２】
しかしながら、優先的な実施例はドライブキャディー又はその同等物を使用することを含む。具体的には、ハードディスクドライブは、コンピュータシステム２３０の他の構成部品よりも頻繁に不具合をおこすものである。その結果、従来型のラックマウント型コンピュータシステム２３０は、他の構成部品を取り外すことなく簡単にハードディスクドライブを交換することができるように設計されている。ハードディスクドライブを簡単に取り除き、交換できるように、ハードディスクドライブは、一般的にはドライブキャディと呼ばれるハードドライブキャリアの中に設置される。ドライブキャディは通常、従来のコンピュータシステムの前方部分のスロット（又はハードディスクドライブスロット）に配置されている。ドライブキャディは、ハードディスクドライブスロットからドライブを引き出すために使用することができるハンドルを備えている。さらに、ドライブキャディは、接続調整部を備える。接続調整部は、ハードディスクドライブがコンピュータシステムの前方部のハードディスクドライブスロットに挿入されるとき、ハードディスクドライブとコンピュータシステムの嵌め合せ電気的コネクタを、正しく配列するのを確実にするものである。
【００３３】
本発明において、コンピュータシステムは誘電性冷却液の中に浸されているため、ドライブキャディが挿入されるハードディスクドライブスロットは、誘電性冷却液の表面２５０に接する可能性がある。ハードディスクドライブコネクタが嵌め合せコンピュータシステムコネクタと係合する際、ハードディスクドライブが誘電性冷却液の表面２５０よりも上にあることを確実にするために、ドライブキャディはドライブスレッドと交換される。おおよそ中にあるハードドライブのサイズであるドライブキャディと異なり、ドライブスレッドはハードディスクドライブよりも十分に長いものである。これにより、ハードディスクドライブ２４０がコンピュータシステム２３０に電気的に接続しているとき、ドライブスレッドの一部が誘電性冷却液の表面２５０の下にあり、一部はその上にありことを可能にする。ハードディスクドライブ２４０は、誘電性冷却液の表面２５０の上にあるドライブスレッドの部分に固定される。
【００３４】
図４Ａは、ハードディスクドライブ２４０が取り付けられる例示的ドライブスレッド４００を示す。ハードディスクドライブ２４０は、上記した任意の様々な固定方法（例えばネジ、スロット、レイル等）により、ドライブスレッドに取り付けられてもよい。好ましくは、柔軟な熱伝導材料の薄層が、ハードディスクドライブとドライブスレッドとの間に置かれる。好適な材料は、熱ペースト又は熱パッドと一般的に呼ばれる材料である。
【００３５】
ハードディスクドライブ２４０をコンピュータシステムに接続するために、ドーターボードが、誘電性冷却液の中に浸されたスレッドの端部に備えられてもよい。そして、ケーブルが、ハードディスクドライブとドーターボードを電気的に接続してもよい。この場合、ドライブスレッド４００は、従来型のドライブキャディのハードディスクドライブスロットに差し込まれるように設計されてもよい。ドライブスレッド４００が、ハードディスクドライブスロットに挿入されると、ドーターボードはコンピュータシステム上の嵌め合せコネクタと嵌め合わせられる。ドライブスレッドの部分は、誘電性冷却液の中に浸されているため、ドライブスレッド４００は、ハードディスクドライブ２４０から取り去った熱を誘電性冷却液に伝えるため、アルミニウムなどの熱伝導材料により作られていることに留意すべきである。
【００３６】
図４Ｂは、拡張ケーブル４３０を備えたドライブスレッド４００を示し、図４Ｃは、上に向けたハードディスクドライブスロット４５０を備えるコンピュータシステム２３０を示す。誘電性冷却液の中の拡張ケーブル４３０の端部が、ドーターボード４４０である。コンピュータシステムコネクタは、コンピュータシステム２３０のハードディスクドライブスロット４５０の中にある。ドーターボード４４０は、ハードディスクドライブ２４０とコンピュータシステム２３０を電気的に接続するために、スロット４５０の中に差し込まれるように設計されている。そのため、この実施例は、コンピュータシステム２３０が冷却液の中に浸されたままで、ハードディスクドライブ２４０の「活線挿抜（ホットスワッピング）」を可能にする。活線挿抜はまた、コンピュータシステム２３０をシャットダウンさせることなくハードディスクドライブ２４０を交換できるようにするものである。
【００３７】
ハードディスクドライブ２４０をさらに冷却するために、スレッドはその両側に取り付けられる放熱板３２０を有してもよい。図４Ｄは、両側に取り付けた放熱板３２０を有するスレッドを示している。スレッドは、冷却システム２００からハードディスクドライブ２４０を取り外すのを容易にするためのハンドル４６０を有する。
【００３８】
図２Ａに戻ると、コンピュータシステム２３０とハードディスクドライブ２４０によって熱せられた誘電性冷却液は、ポンプ２１２に、適切な導管又は導線を介して流体接続されている。ポンプ２１２は、熱せられた誘電性冷却液を、放熱又は冷却装置２１８と関連する熱交換器２１６に、適切な導管又は導線を介して、送り込むものである。しかし、熱交換器２１６に達する前に、誘電性冷却液はフィルタ２１４を通過して、冷却液内に侵入しているかもしれない異物をろ過して取り除く。
【００３９】
熱交換器２１６は、流入する熱せられた冷却液からの熱を排出し、また冷やされた冷却液が、戻り流体導線又は導管２２０を通して、タンク２１０内に戻るよう流体接続する。熱せられた冷却液から熱交換器２１６を通して排出された熱は、システムが影響下にある、異なる環境条件及び／又はコンピュータシステムの動作条件に基づいて、排出された熱を消散させるため、回収するため、又は有効に利用するために、代わりとなる放熱又は冷却装置２１８によって、選択的に利用されてもよい。
【００４０】
熱交換器２１６と冷却装置２１８のいずれか又は両方は、冷却システム２００とはローカル接続、又はリモート接続であってもよいことに留意すべきである。しかし、冷却装置２１８は、運転中熱を発生させる可能性があるので、冷却システム２００から隔てるか、又は離れて配置されることは有益である可能性がある。
【００４１】
システム２００は、本発明の方法を実装するのに適した新規のアプリケーションソフトを備える、従来型の設計のコントローラ２７０を含む。コントローラ２７０は、冷却システム２００の様々な構成部品とその環境からの、様々な操作パラメータの監視信号を受信してもよく、コンピュータシステムとハードディスクドライブを冷却するために必要とされるエネルギーの総量を減らしながら、コンピュータシステム２３０とハードディスクドライブ２４０のそれぞれを十分に冷却するために、熱せられた冷却液が、所定の高められた温度にあるタンク内のサーバから出ていくように維持するため、冷却システム２００の様々な構成部品を制御する制御信号を生成してもよい。特に、コントローラ２７０は、流体回路内の少なくとも一箇所、例えば、熱せられた液体回路が複数のコンピュータシステムと熱伝導拡張部を出ていく箇所の、冷却液の温度を監視する。コントローラ２７０はまた、コントローラ２７０と、従来型のラックマウント型コンピュータシステムによって生成される診断出力信号とを電気的に接続することによって、コンピュータシステム２３０の発熱する電気的構成部品とハードディスクドライブ２４０の発熱する電気的及び機械的構成部品との温度を監視してもよい。該コントローラはまた、誘電性冷却液の流れを監視してもよい。そのような情報に基づいて、コントローラ２７０は、ポンプ２１２と放熱又は冷却装置２１８に、信号を出力してもよく、これにより、システム内のコンピュータシステム２３０とハードディスクドライブ２４０をそれぞれ十分に冷却するために消費されるエネルギーの量を減らすために、熱せられた冷却液が、高温のコンピュータシステムとハードディスクドライブ２４０の熱伝導拡張部を出ていくように維持しつつ、コンピュータシステム２３０とハードディスクドライブ２４０のそれぞれを十分に冷却するための、流体回路を通る冷却液の流れと、放熱又は冷却装置２１８によって排出される熱量とを調整する。
【００４２】
図２Ｂは、図２Ａの例示的システムの代りとなるシステムを示している。図２Ａにも示されるように、図２Ｂは、１つ又は複数のラックマウント型コンピュータシステム２３０と１つ又は複数のハードディスクドライブ２４０を同時に冷却するためのシステム２００を示している。コンピュータシステム２３０とハードディスクドライブ２４０は、データセンタの１つ又は複数のラックの中に配置されてもよい。
【００４３】
システム２００は、誘電性冷却液を含む内部容積を有するタンク２１０を含む。誘電性冷却液は表面２５０を有する。コンピュータシステム２３０とハードディスクドライブ２４０はいずれも、前記した搭載部材を使用して、タンク２１０の内部に搭載されてもよい。
【００４４】
図２Ａの冷却システム２００とは異なり、図２Ｂの熱せられた誘電性冷却液は、タンク２１０の外部へは流出しない。代わりに、流動する誘電性冷却液の流体回路は、完全にタンク２１０の内部にある。熱交換器などの、熱的連結装置２８０が、タンク２１０内に設置され、流体回路はコンピュータシステム２３０とハードディスクドライブ２４０を備える熱伝導拡張部内を通ることで、コンピュータシステムと熱伝導拡張部とを出ていく熱せられた誘電性冷却液の流れの少なくとも一部は熱的連結装置２８０を通って流れる。冷却された誘電性冷却液は、熱的連結装置２８０を出ていき、冷却された誘電性冷却液の少なくとも一部は内部の流体回路の中を循環し、コンピュータシステム２３０と熱伝導拡張部を通って戻っていく。熱伝導拡張部は、上述したハードディスクドライブスレッド４００又は搭載プレート３００であってもよい。
【００４５】
システム２００は、第二の流体回路を形成する導管又は導線を流れる、ガス又は液体等の冷却液を有する二次的放熱又は冷却装置２１８を含み、この二次的冷却装置２１８は、システム２００に対しローカル接続又はリモート接続されてもよい、関連する熱交換器（図示せず）を含み、これにより第二の流体回路の中の冷却液からの熱を、第二の熱交換器を通して排出する。二次的冷却装置と関連して熱交換器を通して第二流体回路内の熱せられた冷却液から排出された熱は、システムが影響下にある、異なる環境条件及び／又はコンピュータシステムの動作条件に基づいて、選択的に消散、回収、又は有効に利用されてもよい。
【００４６】
システム２００は、本発明の方法を実装するのに適した新規のアプリケーションソフトを備えるコントローラ２７０を含む。図２Ａのコントローラのように、図２Ｂのコントローラ２７０は、冷却システム２００の様々な構成部品とその環境からの、様々な操作パラメータの監視信号を受信してもよく、コンピュータシステムを冷却するために必要とされるエネルギーの総量を減らしながら、複数のコンピュータシステム２３０とハードディスクドライブ２４０をそれぞれ十分冷却するために、熱せられた冷却液が、特定の温度にあるタンク２１０内のコンピュータシステムから出ていくように維持するため、冷却システムの様々な構成部品を制御する制御信号を生成してもよい。
【００４７】
特に、コントローラ２７０は、内部流体回路の中の少なくとも一箇所、例えば、熱せられた液体回路が、タンク２１０内に浸されたコンピュータシステムに出ていく箇所の、冷却液の温度を監視する。コントローラ２７０はまた、コントローラと、従来型のラックマウント型コンピュータシステムによって生成される診断出力信号とを電気的に接続することによって、コンピュータシステム２３０とハードディスクドライブ２４０の発熱する電気的構成部品の温度を監視してもよい。
【００４８】
コントローラ２７０は、外部流体回路の中の冷却液の流れと温度を監視してもよい。そのような情報に基づいて、コントローラ２７０は、放熱又は冷却装置２１８に、信号を出力してもよく、これにより、各コンピュータシステムを十分に冷却するために消費されるエネルギーの量を減らすために、熱せられた冷却液が、特定の温度にあるコンピュータシステムと熱伝導拡張部を出ていくように維持しつつ、コンピュータシステムとハードディスクドライブのそれぞれを十分に冷却するための、外部流体回路を通る冷却液の流れと、放熱又は冷却装置２１８によって排出される熱量とを調整する。
【００４９】
出ていく冷却液を高められた温度状態に維持することにより、冷却システムは、熱を利用するための、又は消散させるための、異なる様々な技術と共に用いられてよい（例えば、熱再獲得、低電力熱消散、又は冷蔵）。
【００５０】
いくつかの実施例において、冷却液の平均バルク流体温度は、例えば、温暖な気候における華氏約１０５度の温度で維持されることができ、これは典型的な室温と比較して顕著に高い温度であり、米国の月最高平均の室外気温よりも顕著に高い温度でもある（例えば、夏季月間では華氏約７５度）。華氏約１０５度の温度では、熱は、年間の大部分の期間にわたって、温帯緯度における周囲環境に、少ない消費電力で排熱される（例えば、大気又は川などの近隣にある冷却源）、あるいは、熱は、例えば、同じ建物又は隣接する建物内の給湯設備を熱することによって、又は寒冷気候において、室内暖房を提供することによって、再獲得される。
【００５１】
自然発生的な気温を超えて、冷却液の温度を維持することにより、コンピュータシステム冷却システムにおける不可逆性、及び／又は、温度の違いが減少することがある。熱力学サイクルにおける不可逆性の減少は、サイクルの効率を向上させることがあり、コンピュータシステムを冷却するための全体の電力消費を減らすことができる。
【００５２】
従来型の冷却システムにおいて、構成部品で生成された熱の１ワットあたり、約２分の１ワットが冷却システムによって消費される。例えば、冷却媒体（例えば、空気）は華氏約６５度に冷却されることができ、冷却される構成部品は、例えば華氏約１５８度の温度で運転される。この温度の大きな差は、それに応じて、非効率性及び電力消費増大という結果になる。さらに、排出された熱の「品質」は、低く、冷却媒体によって吸収された熱を構成部品によって消散された後に再獲得するのを困難にする。しかしながら、所望される熱伝導率を達成するために、空気などの冷却媒体を使用する場合、従来のシステムにおいては、そのような大きな温度差が必要とされることがある。
【００５３】
図６は、コンピュータシステム２３０、ハードディスクドライブ２４０、誘電性冷却液がその内部に保持される内部容積を持つ例示的タンク６００を示す。タンク６００は、蓋６１６を有してもよく、これはコンピュータシステム２３０とハードディスクドライブ２４０を挿入するか、又は取り出すために開けることができるものであるが、運転中密閉される必要はない。タンク６００の内部容積には、コンピュータシステム２３０とハードディスクドライブ２４０を保持するためのラックシステム６１４が含まれる。タンク６００はまた、その片側に冷却液流入口６１２と冷却液流出口６１０を有する。冷却液流入口６１２と冷却液流出口６１０はタンク６００の片側にあるが、本発明はこのように制限されるものではないことに留意するべきである。冷却液流入口６１２と冷却液流出口６１０は、タンク６００のどちらの側に配置されてもよく、同様にタンク６００の異なる側にそれぞれが配置されてもよいものである。このように、タンク６００の特定の側にある冷却液流入口６１２と冷却液流出口６１０を示すことは、例証目的のみである。
【００５４】
図７Ａと図７Ｂはそれぞれ、吸引連結管７２０と加圧連結管７１０を、示している。タンク６００の内部容積の内側で、加圧連結管７１０は冷却液流入口６１２に取り付けられ、吸引連結管７２０は冷却液流出口６１０に取り付けられている。吸引連結管７２０と加圧連結管７１０はそれぞれ、領域Ａ１を有する。さらに、吸引連結管７２０と加圧連結管７１０はそれぞれ、長手方向に沿って配置された領域Ａ２の複数のノズル又は速度増加装置を有する。
【００５５】
加圧連結管７１０の長手方向に沿う速度増加装置の領域Ａ２は、加圧連結管７１０の領域Ａ１よりも大幅に小さい。これにより、速度増加装置による減圧が、加圧連結管７１０による減圧よりも大幅に大きくすることができる。その結果、速度増加装置を通過する圧力が、タンク６００の長手方向全体にわたってほぼ同じとなる。同様に、吸引連結管７２０を通過する吸引力が、タンク６００の長手方向全体にわたってほぼ同じになる。それ故、冷却液の流れが、タンク６００の長手方向全体にわたってほぼ同じになる。
【００５６】
どのような場合でも、誘電性冷却液が、加圧連結管７１０の長手方向に沿った速度増加装置を出ていくときには、冷却液の動き又は流れは加速する。これにより、タンク６００内の冷却液のバルク流れが増加し、また冷却液の流れの方向が改善される。結果として生じるバルク冷却液の動きが、タンク６００内の冷却液の循環的流れを強化する。流れの循環は、コンピュータシステム２３０とハードディスクドライブ２４０のドライブスレッドの外側周囲を通り、速度増加装置の付近で加速し、下流方向に流れ、その後コンピュータシステム２３０とハードディスクドライブ２４０のドライブスレッドを通過して上流方向に流れ、コンピュータシステム２３０の上に出たあと、速度増加装置の周囲へと戻る。
【００５７】
図７Ｃは、タンク６００の左側面を示している。この図では、蓋６１６は取り外され、吸引連結管７２０と一体化された冷却板７３０が示されている。冷却板７３０は、前述した冷却液の流れの中で、誘電性冷却液がコンピュータシステムの近辺に流れ込むのを防止するよう利用されてもよい。いずれの場合も、循環矢印７５０は、タンク６００内の誘電性冷却液の考えられる一つの流れる方向を示している。
【００５８】
異なる吸引連結管７２０が、より高い又はより低い局所的熱を調整するために使われてもよいことに留意するべきである。例えば、タンク６００の特定の領域が高温すぎる場合、その領域の周辺の冷却液の流れを強めるために、その特定の領域により多くのノズルを有する吸引連結管７２０が用いられてもよい。
【００５９】
本発明の説明は、例示と説明の目的のために提示されたものであり、本発明を網羅することを意図するものではなく、また開示された形態の発明に限定されることを意図するものでもない。多くの修正や変更が当業者にとって明らかになるであろう。実施例は、本発明の本質と実際の適用を最も良く説明するために選択及び記載されたものであり、また、想定されている特定の使用に適している、様々な修正を伴う様々な実施例の発明を、当業者が理解することを可能にするためのものである。
【符号の説明】
【００６０】
１００  ハードディスクドライブ
１１０  プラッタ、ディスク
１２０  ヘッドアーム
１３０  読み書きヘッド
１５０  筐体
１６０  スピンドル
２００  冷却システム
２１０  タンク
２１２  ポンプ
２１４  フィルタ
２１６  熱交換器
２１８  放熱又は冷却装置
２２０  導線又は導管
２３０  コンピュータシステム
２４０  ハードディスクドライブ
２５０  表面
２７０  コントローラ
２８０  熱的連結装置
３００  搭載プレート、搭載部材
３１０  側面搭載耳
３２０  放熱板
４００  ドライブスレッド
４３０  拡張ケーブル
４４０  ドータボード
４５０  ハードディスクドライブスロット
４６０  ハンドル
５２０  放熱板
６００  タンク
６１０  冷却液流出口
６１２  冷却液流入口
６１４  ラックシステム
６１６  蓋
７１０  加圧連結管
７２０  吸引連結管
７３０  冷却板
７５０  循環矢印
Ａ１  領域
Ａ２  領域
【図１Ａ】
0005996648.tif 000002
【図１Ｂ】
0005996648.tif 000003
【図２Ａ】
0005996648.tif 000004
【図２Ｂ】
0005996648.tif 000005
【図３】
0005996648.tif 000006
【図４Ａ】
0005996648.tif 000007
【図４Ｂ】
0005996648.tif 000008
【図４Ｃ】
0005996648.tif 000009
【図４Ｄ】
0005996648.tif 000010
【図５Ａ】
0005996648.tif 000011
【図５Ｂ】
0005996648.tif 000012
【図６】
0005996648.tif 000013
【図７Ａ】
0005996648.tif 000014
【図７Ｂ】
0005996648.tif 000015
【図７Ｃ】
0005996648.tif 000016